(57)【特許請求の範囲】
【請求項１】
容器本体（５）の口部（５ａ）に設けられる栓基部（２）と、該栓基部（２）に対して上下動自在に保持されるポンプ装置（３）と、上記栓基部（２）に対して回動自在に外嵌される操作筒体（４）とを有し、
前記ポンプ装置（３）は、上端部に位置する昇降ヘッド（８）を有し、昇降ヘッド（８）に吐出口（３ａ）が設けられ、昇降ヘッド（８）を押し下げ操作することで、容器本体（５）内の内容物を吸い上げて、吐出口（３ａ）から内容物を取り出すように構成され、
前記ポンプ装置（３）と栓基部（２）と操作筒体（４）との間に、操作筒体（４）の回動操作に伴って、昇降ヘッド（８）を操作筒体（４）内に収納させるようにポンプ装置（３）を下降させると共に、昇降ヘッド（８）を操作筒体（４）から上方突出させるようにポンプ装置（３）を上昇させる連動手段（１０）が設けられていることを特徴とする液体容器のポンプ付き口栓装置。
【請求項２】
前記連動手段（１０）において、前記栓基部（２）にはポンプ装置（３）の上下動を案内する筒状壁（１７）が設けられており、ポンプ装置（３）には栓基部（２）の筒状壁（１７）及び前記操作筒体（４）の周壁（２３）内面へ向けて突出する従動ピン（１４）が設けられており、上記栓基部（２）の筒状壁（１７）及び前記操作筒体（４）の周壁（２３）には、操作筒体（４）の回動によって上記ポンプ装置（３）の従動ピン（１４）に合成成分としての上下動を伝えるカム案内路（２０，２７）がそれぞれ設けられていることを特徴とする請求項１記載の液体容器のポンプ付き口栓装置。
【請求項３】
前記栓基部（２）の筒状壁（１７）に設けられるカム案内路（２０）は、ポンプ装置（３）の従動ピン（１４）における上下動を許容する縦経路（３７）と該縦経路（３７）の上部で周方向へ延びる上部周経路（３９）とを有し、前記操作筒体（４）の周壁（２３）に設けられるカム案内路（２７）は、当該操作筒体（４）の回動時にポンプ装置（３）の従動ピン（１４）を栓基部（２）の上記上部周経路（３９）に沿って横移動させる押し面（４０）及び押返し面（４１）を有していることを特徴とする請求項２記載の液体容器のポンプ付き口栓装置。
【発明の詳細な説明】
【０００１】
【産業上の利用分野】
本発明は、例えば化粧水等を入れる液体容器に対して実施可能なポンプ付き口栓装置に関するものである。
【０００２】
【従来の技術】
従来、化粧水等を入れる液体容器として、ガラス製又は樹脂製の容器本体に対し、その口部に、ポンプ装置が取り付けられたものがある。このポンプ装置は、バネで押し上げ状態に保持された昇降ヘッドを押し下げ操作することにより、内容物（化粧水等）の取り出しが行えるようになっている。
【０００３】
ところで、この種液体容器では、誤って昇降ヘッドを押し下げ操作したり、液体容器を落下させた時などに昇降ヘッドが押し込まれたりした場合に、内容物が吐出され、無駄になることがあった。特に、液体容器を落下させた場合には、ポンプ装置の故障に至ることもあった。
そこで、これらの問題を解消するために、容器本体の口部まわりに、ポンプ装置全体（上昇した昇降ヘッド）をカバーする外蓋を外嵌螺合できるようにしたものがある。勿論、この外蓋は、内容物を取り出す際には予め容器本体から螺脱しておくものである。
【０００４】
【発明が解決しようとする課題】
従来、外蓋を付属させた液体容器では、言うまでもなく、その使用に際していちいち外蓋を螺脱し、また使用後には螺合する必要がある。そのため面倒であった。しかも、螺脱した外蓋を落下させて破損、又は紛失等させるおそれがあった。
【０００５】
本発明は、上記事情に鑑みてなされたものであって、外蓋の螺脱や螺合を不要とすることにより、取り扱い上の容易化を図り、且つそれでいてポンプ装置の誤作動に伴う内容物の無駄や、ポンプ装置の故障等を防止することができる液体容器のポンプ付き口栓構造を提供することを目的とする。
【０００６】
【課題を解決するための手段】
本発明では、上記目的を達成するために、次の技術的手段を講じた。
即ち、本発明は、容器本体の口部に設けられる栓基部と、該栓基部に対して上下動自在に保持されるポンプ装置と、上記栓基部に対して回動自在に外嵌される操作筒体とを有し、
前記ポンプ装置は、上端部に位置する昇降ヘッドを有し、昇降ヘッドに吐出口が設けられ、昇降ヘッドを押し下げ操作することで、容器本体内の内容物を吸い上げて、吐出口から内容物を取り出すように構成され、
前記ポンプ装置と栓基部と操作筒体との間に、操作筒体の回動操作に伴って、昇降ヘッドを操作筒体内に収納させるようにポンプ装置を下降させると共に、昇降ヘッドを操作筒体から上方突出させるようにポンプ装置を上昇させる連動手段が設けられていることを特徴としている。
【０００７】
前記連動手段において、前記栓基部にはポンプ装置の上下動を案内する筒状壁が設けられており、ポンプ装置には栓基部の筒状壁及び前記操作筒体の周壁内面へ向けて突出する従動ピンが設けられており、上記栓基部の筒状壁及び前記操作筒体の周壁には、操作筒体の回動によって上記ポンプ装置の従動ピンに合成成分としての上下動を伝えるカム案内路がそれぞれ設けられた構成とすることができる。
【０００８】
前記栓基部の筒状壁に設けられるカム案内路は、ポンプ装置の従動ピンにおける上下動を許容する縦経路と該縦経路の上部で周方向へ延びる上部周経路とを有し、前記操作筒体の周壁に設けられるカム案内路は、当該操作筒体の回動時にポンプ装置の従動ピンを栓基部の上記上部周経路に沿って横移動させる押し面及び押返し面を有した構成とすることができる。
【０００９】
【作用】
栓基部は、容器本体に対して一体的に設けられ、固定されている。この栓基部に対し、ポンプ装置は上下動自在に保持され、また操作筒体は栓基部まわりを回動自在となるように保持されている。そして、液体容器の常態（不使用時とする）にあって、ポンプ装置は下降状態とされ、操作筒体内に収納されるようになっている。
【００１０】
この状態で、容器本体（栓基部）に対して操作筒体を回動操作すると、連動手段の作動に伴ってポンプ装置が上昇し、このポンプ装置に設けられた吐出口が操作筒体上へ露出するようになる。従って、ポンプ装置の操作が可能な状態（液体容器の使用可能状態）となる。
一方、操作筒体を上記と逆方向へ回動操作すると、連動手段の逆作動によりポンプ装置が下降する。そのため、ポンプ装置の吐出口が操作筒体よりも下方へ隠されるようになる。従って、ポンプ装置が操作できない状態（液体容器の常態）に戻される。
【００１１】
このように、操作筒体の回動操作によってポンプ装置の出し入れを行い、内容物の取り出しの可否を切り替えるものであり、それらの切り替え状態は、ポンプ装置が上昇しているか又は下降しているかによって一見明らかとなる。
前記連動手段の構成としては、ポンプ装置に設けた従動ピンと、この従動ピンに係合するように栓基部及び操作筒体に設けたカム案内路とを組み合わせたカム構造とすることが好適である。このカム構造は、操作筒体による回動力の向きを上下方向へ合成変換した後、ポンプ装置に対する上下動力として取り出すようになっている。
【００１２】
この場合、栓基部の筒状壁に設けるカム案内路は、ポンプ装置の従動ピンにおける上下動を許容する縦経路と、この縦経路の上部で周方向へ延びる上部周経路とを有したものとする。一方、操作筒体の周壁に設けるカム案内路は、栓基部の上部周経路に係合しているポンプ装置の従動ピンを、操作筒体の回動時に横移動させる押し面及び押返し面を有したものとする。
【００１３】
すなわち、前記した液体容器の常態にあって、ポンプ装置の従動ピンは、栓基部のカム案内路に対し、その縦経路の下端部に位置している。この状態から操作筒体を回動操作すると、当該操作筒体に設けられたカム案内路の押し面が従動ピンを横方向へ押すようになるため、従動ピンは縦経路によって横移動を拘束されつつ、その結果として上昇し、やがて縦経路から上部周経路へと追い込まれる。このようにしてポンプ装置は上昇する。
【００１４】
また、ポンプ装置が上昇した状態から操作筒体を上記と逆方向へ回動操作すれば、押返し面が上部周経路に係合している従動ピンを縦経路へ向けて押し返し、この縦経路へと追い出すようになる。そして、従動ピンは引き続き押返し面によるカム作用を受けて下降し、やがて縦経路の下端部へと追い込まれる。このようにしてポンプ装置は下降する。
【００１５】
【実施例】
以下、本発明の実施例を図面に基づき説明する。
図１乃至図３は本発明に係る口栓装置１の第１実施例において、その全体構成を示しており、この口栓装置１は、図２に示すように栓基部２と、この栓基部２に対して上下動自在に保持されるポンプ装置３と、上記栓基部２に対してそのまわりを回動自在となるように外嵌保持される操作筒体４とを有している。
【００１６】
この口栓装置１は、上記栓基部２によって容器本体５の口部５ａへ一体的に取り付けられ（ねじ結合、アンダーカット構造又は接着等による）、この場合にその全体として液体容器６が構成されるものである。
上記ポンプ装置３は、ポンプ本体７と、このポンプ本体７が具備するピストンロッド７ａに対してその上端部に取り付けられる昇降ヘッド８とを有しており、ポンプ本体７に対して昇降ヘッド８を押し下げ操作することで、当該ポンプ本体７の下部吸引パイプ７ｂを介して容器本体５内に収蔵された内容物を吸い上げ、昇降ヘッド８の上部外周部に設けられた吐出口３ａから取り出すことができるようになっている。
【００１７】
図１（ａ）は液体容器６の常態（不使用時）を示しており、ポンプ装置３は下降状態とされ、昇降ヘッド８の上面を除く殆どが操作筒体４内に収納されるようになっている。また図１（ｂ）は液体容器６の使用可能状態を示しており、ポンプ装置３は、昇降ヘッド８が操作筒体４から突出する上昇状態とされ、吐出口３ａが露出するようになっている。
【００１８】
上記したポンプ装置３の昇降動は、操作筒体４を回動操作することで行えるようになっており、そのために、ポンプ装置３と栓基部２と操作筒体４との間で、以下に示すような連動手段１０が構成されている。
まず、ポンプ装置３において、ポンプ本体７にはソケット１１が外装固定されている。このソケット１１の上部はピストンロッド７ａまわりで径大化されており、この径大化部分が、昇降ヘッド８の上下動を案内保持可能なガイド壁１２とされている。なお、図３に示す符号１３は、昇降ヘッド８の回り止めに用いられる凹凸係合部であり、図２に示す符号１３ａがこの凹凸係合部１３の一構成とされる切欠である。
【００１９】
そして、このガイド壁１２の下部外周面には、相反する径方向外方へ突出する一対（２本）の従動ピン１４が設けられている。
上記栓基部２においては、容器本体５の口部５ａへの取り付けに用いられる円盤状の取付ボス部１６に対し、その上部に筒状壁１７が設けられている。この筒状壁１７は、ポンプ装置３のガイド壁１２を内嵌め可能に形成されており、当該ポンプ装置３の上下動を案内するようになっている。そしてこの筒状壁１７には、ポンプ装置３の従動ピン１４を嵌める一対のカム案内路２０が形成されている。これらカム案内路２０は、筒状壁１７を貫通し且つ上方へ抜けるかたちで形成されたクランク状の切欠とされている。
【００２０】
なお、上記取付ボス部１６は、断面コ字状をしたリング体で、その外周面には嵌合レール２２が突出形成されている。
また、前記操作筒体４においては、栓基部２の筒状壁１７に対して回動自在な状態で外嵌可能とされる内部周壁２３と、この内部周壁２３に上周鍔部２４を介して当該内部周壁２３を取り囲むように設けられた外部周壁２５とを有している。そして、上記内部周壁２３には、ポンプ装置３の従動ピン１４と係合可能となる一対のカム案内路２７が形成されている。これらカム案内路２７は、内部周壁２３の内周面において、その約半周にわたり周方向軸線に傾斜する溝（凹部）を呈するように形成されている。
【００２１】
なお、上記内部周壁２３の下部内周面には、栓基部２の取付ボス部１６に設けられた嵌合レール２２と嵌合可能な周溝３０が凹設されている。
連動手段１０は、図３及び図４に示すように栓基部２の筒状壁１７に対し、その内部へポンプ装置３を嵌め、また外部へ操作筒体４を嵌めることで構成されるるが、この場合、ポンプ装置３の従動ピン１４を栓基部２のカム案内路２０に貫通させ、且つ当該従動ピン１４の突端部を操作筒体４のカム案内路２７へ係合させるようにする。
【００２２】
なお、本実施例では、ポンプ装置３において吐出口３ａと従動ピン１４とが、図２及び図４に示すように平面方向で９０°の開き位置関係を有したものとした。ただ、図３では、説明の便宜上、これら吐出口３ａと従動ピン１４とが同一面上に現れるように描いてある。
図５（ａ）及び（ｂ）は、いずれも従動ピン１４がカム案内路２０及び２７と係合した状態を正面視するかたちで、分かり易く示した動作説明図である（ハッチング状の斜線は、断面を表すものではなく、各部材の輪郭を明確にするためのものである）。
【００２３】
前記したように栓基部２のカム案内路２０はクランク状をした切欠であって、縦経路３７と、その下部で周方向へ延びる下部周経路３８と、縦経路３７の上部で下部周経路３８とは反対側の周方向へ延びる上部周経路３９とを有している。
下部周経路３８が縦経路３７に対して延設される方向は図５各図の左方としてあり、また上部周経路３９は、同、右方としてある。これは下部周経路３８においては、栓基部２に対して操作筒体４を最初に（液体容器６の常態から使用可能状態へ切り替えるために）回動操作する場合の回動方向（図１及び図５（ａ）の矢符Ｘ参照）と逆方向になり、また上部周経路３９においては、上記回動方向（矢符Ｘ参照）と同方向になるように関係付けたものである。
【００２４】
なお、下部周経路３８には、縦経路３７との折曲隅部寄りに突起３８ａが形成されており、また上部周経路３９には、縦経路３７との折曲隅部寄りに突起３９ａが形成されている。これら突起３８ａ，３９ａは、いずれも下部周経路３８又は上部周経路３９に対する従動ピン１４の係合状態を保持する抜け止め用のものである。
【００２５】
一方、前記したように操作筒体４のカム案内路２７は周方向軸線に対して傾斜した溝であって、溝内部の下側段部面が押し面４０とされ、上側段部面が押返し面４１とされている。また、この押返し面４１における上側の所定領域では、ポンプ装置３の従動ピン１４に対して上当たり面４２としての作用を奏するようになっている。このカム案内路２７において、その傾斜方向は図５各図の左側が上で、右側が下となる方向としてあるが、これは栓基部２に対して操作筒体４を最初に回動操作する場合の回動方向（矢符Ｘ参照）に沿って、従動ピン１４との係合位置を徐々に高くできるように関係付けてある。
【００２６】
このような構成の連動手段１０において、図１（ａ）及び図３に示した液体容器６の常態（不使用状態）から操作筒体４を矢符Ｘ方向へ回動操作したとする。これに伴い、図５（ａ）に示すように操作筒体４のカム案内路２７が、その押し面４０によってポンプ装置３の従動ピン１４を横方向へ押すようにる。そのため、栓基部２のカム案内路２０に対して、当初、その下部周経路３８に係合している従動ピン１４が横移動を開始し、抜け止め用突起３８ａを乗り越えて縦経路３７へ追い出されるようになる。このとき当然に、ポンプ装置３自体も操作筒体４と一緒に回動する（図４参照）。
【００２７】
操作筒体４の回動を続ければ、押し面４０による従動ピン１４の横押しが続けられ、従動ピン１４は縦経路３７内を上昇する。そして、上部周経路３９へ対応する高さへ達した時点で、抜け止め用突起３９ａを乗り越えてして上部周経路３９内へ追い込まれる。このように、従動ピン１４に対してカム案内路２０及び２７の合成成分としての上昇動が伝えられ、ポンプ装置３が図１（ｂ）及び図６に示すように吐出口３ａを露出させた上昇状態になる。勿論、この状態では従動ピン１４が上部周経路３９によって上下動不能に拘束されるので、ポンプ装置３も上下動（特に、下降）が阻止された状態に保持される。
【００２８】
一方、この状態から操作筒体４を上記と逆方向へ回動操作すると、図５（ｂ）に示すようにカム案内路２７の押返し面４１が従動ピン１４を上記と逆の横方向へ押すようになって、上部周経路３９から縦経路３７を経て下部周経路３８へと追い込む。このように、従動ピン１４に対してカム案内路２０及び２７の合成成分としての下降動が伝えられ、ポンプ装置３は再び図１（ａ）に示した収納状態に戻る。勿論、この状態においても、従動ピン１４が下部周経路３８によって上下動不能に拘束されるので、ポンプ装置３も上下動（特に、上昇）が阻止された状態に保持される。
【００２９】
ところで、従動ピン１４が、その上昇時においてカム案内路２０（上部周経路３９）から上方へ抜けてしまうのを防止するために、操作筒体４はその回動操作量が所定範囲で制限される構造となっている。すなわち、図５（ｂ）に示すように、カム案内路２７における押返し面４１の一部（前記した上当たり面４２）により、上部周経路３９の上方抜け口を塞いだ状態が維持されるようになっている。
【００３０】
この回動量制限構造は、図７に示すように操作筒体４に対し、その内部周壁２３に外接する状態で垂設されたストッパ片４５と、操作筒体４の回動時に所定位置で上記ストッパ片４５と衝突干渉するように、栓基部２の取付ボス部１６に対して径方向外方へ突設された突当て片４６とから成る（図４参照）。４７は突当て片４６にストッパ片４５が当接した状態（即ち、液体容器６の使用可能状態）を保持させる係合突起である。この係合突起４７は、操作筒体４の回動操作時に高操作力を加えることで、ストッパ片４５に対してその上下方向にわたる撓み変形を誘発させ、これによって乗り越えさせるようにできるものである。
【００３１】
なお、本実施例では、液体容器６が常態（不使用状態）とされた場合の操作筒体４の待機位置についても、機械的な制限が与えられるようにするために、栓基部２の取付ボス部１６に対し、上記突当て片４６から約１８０°離れた位置にも、別の突当て片４８及び係合突起４９を設けた。
前記ポンプ装置３は、例えば図８に示すような構造をしたものを使用可能である。図例のものを概説すると、ピストンロッド７ａは中空となって昇降ヘッド８の吐出口３ａと連通しており、その下部には、ポンプ本体７の内底部との間でバネ５０を押圧保持するバネ押し具５１が一体的に接続されている。また、このバネ押し具５１まわりにはプランジャ５４が上下動自在に保持されている。
【００３２】
上記バネ押し具５１には、ピストンロッド７ａの内部とポンプ本体７の内部とを連通させる上下の通水孔５５，５６が形成されており、上記プランジャ５４は、バネ押し具５１に対する上下動によって上下の通水孔５５，５６の間を連通させたり（図８（ａ）参照）、又は遮断させたり（図８（ｂ）参照）するようになっている。なお、ポンプ本体７において、５７はプランジャ５４の上下動を円滑化させるための空気抜き孔であり、５８は内容物の逆流を防止する逆止弁である。
【００３３】
このような構成のポンプ装置３では、昇降ヘッド８を押し下げ操作した場合、図８（ｂ）に示すようにピストンロッド７ａを介してプランジャ５４が下降して容器本体５の内圧を高めるので、この容器本体５内の内容物は押上げられ、下部通水孔５６から上部通水孔５５を経てピストンロッド７ａの内部へ至り、吐出口３ａから吐出されることとなる。昇降ヘッド８の押し下げ操作を解除すれば、図８（ａ）に示すように昇降ヘッド８はバネ５０によって上昇復帰する。なお、このような昇降ヘッド８の上昇状態では、前記したようにプランジャ５４によって上下の通水孔５５，５６の間が遮断されているので、仮令、液体容器６を横転状乃至逆立ち状にしたとしても容器本体５内の内容物がこぼれることはない。
【００３４】
図９は本発明に係る口栓装置１の第２実施例を示しており、この第２実施例では、操作筒体４がその周壁２３を一重壁構造とされている点において、前記第１実施例と相違する（第１実施例では、図３に示したように内部周壁２３と外部周壁２５との二重壁構造であった）。なお、その他の構成や細部構造、及び作用については第１実施例と略同様であるので、同一作用を奏するものに同一符号を付することでそれらの詳説は省略する。
【００３５】
本発明は、前記した各実施例に限定されるものではなく、更に細部的な各種改良乃至変更を加えることが可能である。
例えば、連動手段１０において、栓基部２や操作筒体４に設けるカム案内路２０，２７のリード角を緩急変化させることで、操作筒体４の回動操作量、操作トルク、ポンプ装置３の昇降ストローク等を各種変更することができる。
【００３６】
また、連動手段１０において、従動ピン１４とカム案内路２０，２７との組み合わせを１組だけとしたり、３組以上としたりすることも可能である。
操作筒体４の回動操作量を制限する構造の有無又はその構造自体は適宜変更可能である。また、ポンプ装置３の構成自体についても、従来公知の各種構造に置換可能である。
【００３７】
容器本体５を樹脂製等とする場合には、容器本体５の口部５ａに対して栓基部２を一体的に形成させるようにすることも可能である。
容器本体５内に収蔵する液体は何ら限定されるものではない。
【００３８】
【発明の効果】
本発明は、上述の構成を具備するものであって、栓基部は、容器本体に対して一体的に設けられ、ポンプ装置は、この栓基部に対して上下動自在に保持され、また操作筒体は栓基部まわりを回動自在となるように保持されている。液体容器の常態（不使用状態）ではポンプ装置が下降状態とされ、操作筒体内に収納されているが、この状態で操作筒体を回動操作すると、連動手段の作動に伴ってポンプ装置が上昇し、このポンプ装置に設けられた吐出口が操作筒体上へ露出するようになる。従って、ポンプ装置の操作が可能であり、液体容器は使用可能状態となる。一方、操作筒体を上記と逆方向へ回動操作すると、連動手段の逆作動によりポンプ装置が下降し、ポンプ装置の吐出口が再び操作筒体よりも下方へ隠されるようになる。従って、ポンプ装置の操作ができず、液体容器は常態（不使用状態）に戻される。
【００３９】
このように、従来とは異なり、液体容器の使用に際していちいち外蓋を螺脱し、また使用後には螺合するという手間が全く不要となるので、取り扱いが極めて容易となる。勿論、螺脱した外蓋を落下させて破損、又は紛失等させる等の欠点は、一切ない。
このように、操作筒体の回動操作によってポンプ装置の出し入れを行い、内容物の取り出しの可否を切り替えるものであり、それらの切り替え状態は、ポンプ装置が上昇しているか又は下降しているかによって一見明らかとなる。そのため、ポンプ装置を誤って操作するおそれがなくなり、内容物の無駄を省ける。また、液体容器を落下させた場合等にもポンプ装置の誤作動を防止できるものとなる。特に、上記のように液体容器の落下時にポンプ装置が誤作動されないことに関しては、ポンプ装置の故障が防止される点で極めて有益である。
【００４０】
前記連動手段の構成としては、ポンプ装置に設けた従動ピンと、この従動ピンに係合するように栓基部及び操作筒体に設けたカム案内路とを組み合わせたカム構造とすることが好適である。このカム構造は、操作筒体による回動力の向きを上下方向へ合成変換した後、ポンプ装置に対する上下動力として取り出すようにしたもので、構造的に簡潔であると共に、変換効率に優れるという利点を有している。従って、製造コストの低廉化、動作の確実化及び長寿命化等が図れる。
【図面の簡単な説明】
【図１】本発明に係る口栓装置の第１実施例においてその使用状況を説明する斜視図であって、（ａ）は常態（不使用時）であり、（ｂ）は使用可能状態である。
【図２】第１実施例の口栓装置を分解し、且つそれぞれの必要箇所を破砕して示す斜視図である。
【図３】第１実施例の口栓装置が常態（不使用時）にあるときの側断面図（吐出口が現れるように切断位置を複合させてある）である。
【図４】第１実施例の口栓装置を示す半平面断面図である。
【図５】第１実施例の口栓装置に設けられた連動手段の動作説明図であって、（ａ）は常態（不使用時）であり、（ｂ）は使用可能状態である。
【図６】図３に示した状態から口栓装置を使用可能にさせた状態を示す半側断面図である。
【図７】操作筒体の回動操作量を制限する構造を示したもので、（ａ）は一部を破砕した分解斜視図であり、（ｂ）は操作筒体の平面断面図であり、（ｃ）は栓基部の平面断面図である。
【図８】ポンプ装置の一例を示す半側断面図であって、（ａ）は操作前状況であり、（ｂ）は操作状況である。
【図９】第２実施例の口栓装置を示す半側断面図である。
【符号の説明】
１  口栓装置
２  栓基部
３  ポンプ装置
３ａ  吐出口
４  操作筒体
５  容器本体
５ａ  口部
６  液体容器
１０  連動手段
１４  従動ピン
１７  筒状壁
２０  カム案内路
２３  周壁（内部周壁）
２７  カム案内路
３７  縦経路
３８  下部周経路
４０  押し面
４１  押返し面
４２  上当たり面
【図１】
0003597904.tif 000002
【図２】
0003597904.tif 000003
【図３】
0003597904.tif 000004
【図４】
0003597904.tif 000005
【図５】
0003597904.tif 000006
【図６】
0003597904.tif 000007
【図７】
0003597904.tif 000008
【図８】
0003597904.tif 000009
【図９】
0003597904.tif 000010